(57)【特許請求の範囲】
【請求項１】
水洗トイレの貯水タンクや全自動洗濯機等の外部給水先に上水を供給する流路となる上水供給路と、
上記上水供給路を開閉する上水開閉手段と、
上記上水供給路における上記上水開閉手段より上流側で上水を分流させ、該上水供給路における該上水開閉手段より下流側に合流させるバイパス流路と、
上記バイパス流路での通水の有無を検出する通水検出手段と、
浴槽内の残り湯等の雑用水を上記上水供給路における上記上水開閉手段より下流側で合流させて上記外部給水先に供給する流路となる雑用水供給路とを備え、
上記上水供給路における上記雑用水供給路との合流部の下流側であって、かつ、当該上水供給路における上記バイパス流路との合流点の上流側に、当該パイパス流路から雑用水供給路への上水の逆流を防ぐ逆止弁を設けることを特徴とする雑用水供給装置。
【請求項２】
上記雑用水供給路で雑用水に含まれるゴミ等の異物を取り除くフィルタを備え、
上記バイパス流路を上記上水供給路における上記雑用水供給路との合流部より下流側で合流させると共に、上記外部給水先への雑用水の供給後には上記上水開閉手段を開いて上記上水供給路からの上水を上記雑用水供給路の上流側に流し上記フィルタを逆洗することを特徴とする請求項１記載の雑用水供給装置。
【発明の詳細な説明】
【０００１】
【発明の属する技術分野】
本発明は雑用水を水洗トイレや全自動洗濯機等に供給する雑用水供給装置に関する。
【０００２】
【従来の技術】
従来から、浴槽の残り湯といった雑用水を水洗トイレや全自動洗濯機等に供給する雑用水供給装置が知られている。こうした雑用水供給装置では、全自動洗濯機や水洗トイレといった雑用水の供給先の使用状況を判断して雑用水の供給動作を行なう必要がある。
そこで本出願人は、全自動洗濯機に少量の上水を常時供給可能とする流路を形成し、この流路での通水の有無を検出することにより全自動洗濯機の使用状況を判断し、その判断に基づいて浴槽内の残り湯をこの流路に合流させ、上水と混合して供給する構成を既に提案している。
また別の構成として、水洗トイレの貯水タンクに上水を常時供給可能とする流路を形成し、この流路での通水の有無を検出することにより水洗トイレの使用状況を判断し、その判断に基づいて浴槽内の残り湯をこの流路とは別に設けた流路を介して供給する構成を既に提案している。
【０００３】
【発明が解決しようとする課題】
上述した構成のうち、前者の構成では常時供給される上水に残り湯を混合して供給するため、残り湯の供給動作時に何等かの原因で上水の水圧が残り湯の供給圧を上回ると、上水が残り湯の供給路を逆流して浴槽側に流れ込んでしまう恐れがあった。
また、後者の構成では上水の供給流路とは別に残り湯の供給流路を設ける必要があるため、配管の数が多くなることで施工性が悪くなってしまい、また構造が複雑となることでコストが高くなってしまうといった問題があった。
本発明の雑用水供給装置は上記課題を解決し、雑用水の供給時における上水の雑用水側への流れ込みを防止することを目的とする。
【０００４】
【課題を解決するための手段】
上記課題を解決する本発明の請求項１記載の雑用水供給装置は、
水洗トイレの貯水タンクや全自動洗濯機等の外部給水先に上水を供給する流路となる上水供給路と、
上記上水供給路を開閉する上水開閉手段と、
上記上水供給路における上記上水開閉手段より上流側で上水を分流させ、該上水供給路における該上水開閉手段より下流側に合流させるバイパス流路と、
上記バイパス流路での通水の有無を検出する通水検出手段と、
浴槽内の残り湯等の雑用水を上記上水供給路における上記上水開閉手段より下流側で合流させて上記外部給水先に供給する流路となる雑用水供給路とを備え、
上記上水供給路における上記雑用水供給路との合流部の下流側であって、かつ、当該上水供給路における上記バイパス流路との合流点の上流側に、当該パイパス流路から雑用水供給路への上水の逆流を防ぐ逆止弁を設けることを要旨とする。
【０００５】
上記課題を解決する本発明の請求項２記載の雑用水供給装置は
上記雑用水供給路で雑用水に含まれるゴミ等の異物を取り除くフィルタを備え、
上記バイパス流路を上記上水供給路における上記雑用水供給路との合流部より下流側で合流させると共に、上記外部給水先への雑用水の供給後には上記上水開閉手段を開いて上記上水供給路からの上水を上記雑用水供給路の上流側に流し上記フィルタを逆洗することを要旨とする。
【０００６】
上記構成を有する本発明の請求項１記載の雑用水供給装置は、上水供給路における上水開閉手段より上流側で少量の上水を分流させ開閉手段より下流側に合流させるバイパス流路を備えるため、上水開閉手段により上水供給路を閉じた状態であってもバイパス流路での通水の有無を検出することで水洗トイレの貯水タンクや全自動洗濯機といった外部給水先に上水が供給されているか否かを判断することができる。通常、水洗トイレの貯水タンクや全自動洗濯機等といった外部給水先には流路を開閉する自動止水装置が設けられているため、この通水の有無を検出することで外部給水先の使用状況を判断して雑用水を供給するタイミングをはかることができる。ここで、雑用水を上水供給路に合流させて外部給水先に供給する構成により、雑用水の供給時にもバイパス流路からは上水が供給されるため、上水の水圧が雑用水の供給圧を上回るとバイパス流路からの上水が雑用水供給路に逆流してしまう恐れがあるが、上記上水供給路における上記雑用水供給路との合流部の下流側であって、かつ、当該上水供給路における上記バイパス流路との合流点の上流側に、当該パイパス流路から雑用水供給路への上水の逆流を防ぐ逆止弁が設けられているので、バイパス流路から供給される上水の雑用水供給路への逆流を防ぐことができる。
【０００７】
更に、上記構成を有する本発明の請求項２記載の雑用水供給装置は、雑用水供給路にフィルタを設けることにより雑用水に含まれるゴミ等の異物を取り除いて供給する。そのためフィルタには異物が付着していくが、雑用水の供給後には上水開閉手段を開き上水供給路からの上水を雑用水供給路の上流側に流してフィルタを逆洗することで、付着した異物を取り除くことができる。ここで、雑用水供給路に逆止弁を設けるとフィルタの逆洗ができなくなってしまうが、バイパス流路を上水供給路における雑用水供給路との合流部より下流側で合流させると共に、逆止弁を上水供給路における雑用水供給路との合流部より下流側に設けることで、バイパス流路からの上水の雑用水供給路への逆流を防ぎつつ上水供給路からの水による逆洗を可能とすることができる。
【０００８】
【発明の実施の形態】
以上説明した本発明の構成・作用を一層明らかにするために、以下本発明の雑用水供給装置の好適な実施例について説明する。
図１は、本発明の一実施例としての雑用水供給装置を備えた残り湯利用システムの概略構成図である。このシステムは大別して、浴槽水の循環加熱及び水道水の加熱を行なう給湯器付風呂釜１０と、水洗トイレ９０及び全自動洗濯機１００への残り湯供給を行なう雑用水供給装置６０とにより構成される。
【０００９】
給湯器付風呂釜１０は、通水される水を加熱して出湯する出湯部２０と、浴槽３内の湯を循環させて追い焚きする循環加熱部３０と、これらを制御する給湯コントローラ４０とからなる。
【００１０】
出湯部２０は、水道管１に接続される給水路２１と、給水路２１から供給される水をバーナ２２の燃焼熱により加熱する熱交換器２３と、熱交換器２３で加熱された湯を送り出す流路となる出湯路２４とを備え、出湯路２４は台所やシャワー等に湯を供給するための外部出湯管２に接続される。
【００１１】
循環加熱部３０は、戻り流路４と往き流路５とを介して浴槽３に接続される循環路３１と、浴槽水を循環路３１に循環させるためのポンプ３２と、循環される浴槽水をバーナ３３の燃焼熱により加熱する熱交換器３４とを備える。また、出湯部２０の出湯路２４と循環加熱部３０の循環路３１とは給水弁３５を備えた落とし込み流路３６で接続され、浴槽３への出湯を可能としている。
【００１２】
給湯コントローラ４０は、図示しない周知の算術論理演算回路を構成するＣＰＵ，ＲＡＭ，ＲＯＭと、各種センサからの信号を入力する入力インタフェースと、各種アクチュエータに駆動信号を出力する出力インタフェース等から構成される。また、設定温度の設定等の外部操作を行なうための給湯リモコン５０が接続される。
【００１３】
給湯リモコン５０は設定温度を設定するための温度設定スイッチを備える。そして給湯コントローラ４０は、出湯部２０への通水を検出することによりバーナ２２の燃焼動作を開始させ、出湯部２０の出湯温度を給湯リモコン５０で設定された設定温度に近づけるようにバーナ２２の燃焼量を制御するといった出湯温制御を行なう。
【００１４】
水洗トイレ９０は、図示しないレバーの操作により貯水タンク９１底面に設けられる図示しない栓を一時的に開いて貯水タンク９１に溜めた水を流し水として便器に排水する構成で、貯水タンク９１に上水及び残り湯を供給するタンク注水路９２が接続される。また、このタンク注水路９２の途中には、貯水タンク９１内の水位の上昇に伴って上昇する浮玉９３に連動して流路面積を減少させ、所定水位まで上昇することで流路を完全に遮断する構成の周知のボールタップ９４が設けられる。
【００１５】
全自動洗濯機１００は、流路を開閉する受水弁１０１を介して洗濯注水路１０２が接続され、受水弁１０１を開閉制御することで洗い運転及びすすぎ運転における注水動作を行なう。
【００１６】
雑用水供給装置６０は、水道管１に接続される水供給路６１と外部出湯管２に接続される湯供給路６２とを備え、これらの流路６１，６２には逆止弁６３，６４がそれぞれ設けられ、その下流側には流路を開閉する給水電磁弁６５，給湯電磁弁６６がそれぞれ設けられる。そして、水供給路６１と湯供給路６２とはそれぞれの電磁弁６５，６６の下流側で合流し、逆止弁６７を介して主流路６８に接続される。また、往き流路５と主流路６８とを接続する浴槽水供給路６９が形成され、浴槽水供給路６９には残り湯に含まれるゴミ等の異物を取り除くためのフィルタ７０が設けられる。また、往き流路５と浴槽水供給路６９との分岐部には、循環加熱部３０からの浴槽水を浴槽３に戻す循環側Ａ或は浴槽水供給路６９に流す供給側Ｂの何れかに切替える切替弁７１が設けられる。更に、水供給路６１における給水電磁弁６５より上流側で分岐して主流路６８における浴槽水供給路６９との合流部より下流側に合流するバイパス流路７２が形成され、バイパス流路７２には通水流量を小流量に絞るための水ガバナ７３が設けられる。また、主流路６８における浴槽水供給路６９との合流部とバイパス流路７２との合流部との間にはバイパス流路７２からの上水が浴槽水供給路６９へ逆流することを防止する逆止弁７４が設けられ、主流路６８におけるバイパス流路７２との合流部より下流側は、通水の有無を検出する水流スイッチ７５を介して水洗トイレ９０及び全自動洗濯機１００に上水及び残り湯を供給する外部供給路１１０に接続される。また、これらを制御する注湯コントローラ７６を備える。
【００１７】
バイパス流路７２には水ガバナ７３が設けられ、水流スイッチ７５で通水が検出可能な最低レベルの小流量の上水を流す流路を形成する。従って、水道管１→水供給路６１→バイパス流路７２→主流路６８→外部供給路１１０といった水の供給経路が常時形成され、洗濯機９０或いはトイレ１００が使用されることにより通水が検出される。
【００１８】
切替弁７１はモータを駆動して弁体の位置を移動させることにより、循環加熱部３０からの浴槽水の流路を循環側Ａ或いは供給側Ｂの何れかに切り替える。このような構成により、切り替え動作を開始してから流路を完全に切り替えるまでに８秒程度かかり、その際開いていた流路が完全に閉じるまでに３秒程度かかる。また、通常は浴槽水の流路を循環側Ａに形成しており、循環加熱部３０により浴槽３内の湯を循環して追い焚きする構成となっている。
【００１９】
注湯コントローラ７６は、図示しない周知の算術論理演算回路を構成するＣＰＵ，ＲＡＭ，ＲＯＭと、各種センサからの信号を入力する入力インタフェースと、各種アクチュエータに駆動信号を出力する出力インタフェース等から構成される。注湯コントローラ７６と給湯コントローラ４０とは通信線７７で接続され、給湯コントローラ４０は注湯コントローラ７６からの接点情報に基づいてポンプ３２を駆動させる。
【００２０】
また、注湯コントローラ７６は水流スイッチ７５により通水を検出すると、水洗トイレ９０で貯水タンク９１内の水が排水されたか、或いは全自動洗濯機１００の受水弁１０１が開弁されたかの何れかであると判断し、またその状態から通水なしと検出することで、貯水タンク９１内が満水となったか、或いは全自動洗濯機１００の受水弁１０１が閉弁されたかの何れかであると判断する。
【００２１】
また、注湯コントローラ７６には全自動洗濯機１００への注湯モードの切替えといった外部操作を行なうための洗濯注湯リモコン７８が接続される。この洗濯注湯リモコン７８には、電源をオン／オフする運転スイッチと、注湯モードを選択するための選択スイッチと、選択された注湯モード等を表示するための表示パネルと、注湯動作のオン／オフを切り替えるためのスタートスイッチとを備える。注湯モードは、全自動洗濯機１００の洗い運転時における洗濯供給水と、すすぎ運転時における洗濯供給水との組合わせで、洗いモードとして水，湯，残り湯の３種類から選択でき、更にすすぎモードとして水，湯の２種類から選択できる。但し、洗いモードが水の場合にはすすぎモードも水に自動的に決定されるため、選択できる注湯モードのパターンは５種類となる。
【００２２】
そして、注湯コントローラ７６は、洗濯注湯リモコン７８のスタートスイッチがオンしている状態で通水を検出することにより、洗濯機１００による洗い運転での注水動作が開始されたと判断し、選択されている注湯モードに基づいて洗いモードでの洗濯供給水の供給制御を開始する。その後、通水なしの状態が３分間連続して継続すると、洗濯機１００による洗い運転での注水動作が終了されたと判断し、すすぎモードでの洗濯供給水の供給制御に切り替える。またスタートスイッチがオフされることで、洗濯機１００の運転が終了したと判断して、洗濯供給水の供給制御を終了する。
【００２３】
次に、注湯コントローラ７６の行なう残り湯供給制御処理について、図２のフローチャートを用いて説明する。
水流スイッチ７５により通水を検出すると（Ｓ１：ＹＥＳ）、洗濯注湯リモコン７８のスタートスイッチがオンしているかどうかを判断する。ここでスタートスイッチがオフとなっている場合には（Ｓ２：ＮＯ）、全自動洗濯機１００への注湯開始操作がされていないため水洗トイレ９０の貯水タンク９１内の水が排水されたものであると判断して、切替弁７１の供給側Ｂへの切り替え動作を開始する（Ｓ３）。そして、切替弁７１が供給側Ｂに完全に切り替わった時点でポンプ３２の駆動を開始することで（Ｓ４）、浴槽３内の残り湯を循環路３１→浴槽水供給路６９→主流路６８→外部供給路１１０→タンク注水路９２といった経路で供給し、浴槽水供給路６９のフィルタ７０を通過する際にゴミ等の異物が除去される。このときバイパス流路７２からは上水が供給されているが、残り湯に対する比率が小さいため節水効果をほとんど損なわない。また、逆止弁７４によりバイパス流路７２からの上水が浴槽水供給路６９に逆流することが防止される。その後、水流スイッチ７５により通水が検出されなくなると（Ｓ５：ＹＥＳ）、給水電磁弁６５を開弁すると共に切替弁７１の循環側Ａへの切り替え動作を開始し、同時にポンプ３２の駆動を停止させる（Ｓ６）。従って、切替弁７１の弁体の移動に伴い供給側Ｂへの流路が閉じられるまでの間、水供給路６１からの水が浴槽水供給路６９を逆流して浴槽３に流れ、フィルタ７０が逆洗される。その後、切替弁７１が循環側Ａに完全に切り替わった時点で給水電磁弁６５を閉弁して（Ｓ７）制御を終了する（Ｓ８）。
【００２４】
一方、ステップ２において、洗濯注湯リモコン７８のスタートスイッチがオンしている場合には（Ｓ２：ＹＥＳ）、全自動洗濯機１００への注湯開始操作がされているため洗濯機１００における洗い運転での注水動作が開始されたと判断し、選択されている注湯モードに応じた洗いルーチンに移行する（Ｓ９）。
【００２５】
洗いモードとして残り湯が選択されている場合には残り湯洗いルーチンに移行し（Ｓ１０）、切替弁７１の供給側Ｂへの切り替え動作を開始する（Ｓ１１）。そして、切替弁７１が供給側Ｂに完全に切り替わった時点でポンプ３２の駆動を開始することで（Ｓ１２）、浴槽３内の残り湯を循環路３１→浴槽水供給路６９→主流路６８→外部供給路１１０→洗濯注水路１０２といった経路で供給し、浴槽水供給路６９のフィルタ７０を通過する際にゴミ等の異物が除去される。その後、水流スイッチ７５により通水が検出されない状態が３分間継続すると（Ｓ１３：ＹＥＳ）、洗濯機１００における洗い運転での注水動作が終了したと判断し、給水電磁弁６５を開弁すると共に切替弁７１の循環側Ａへの切り替え動作を開始し、同時にポンプ３２の駆動を停止させる（Ｓ１４）。従って、切替弁７１の弁体の移動に伴い供給側Ｂへの流路が閉じられるまでの間、水供給路６１からの水が浴槽水供給路６９を逆流して浴槽３に流れ、フィルタ７０が逆洗される。その後、切替弁７１が循環側Ａに完全に切り替わった時点で給水電磁弁６５を閉弁し（Ｓ１５）、すすぎルーチンに移行する（Ｓ２４）。
【００２６】
一方、ステップ９において、洗いモードとして湯が選択されている場合には湯洗いルーチンに移行し（Ｓ１６）、給湯電磁弁６６を開弁することで（Ｓ１７）、湯供給路６２からの湯を主流路６８→外部供給路１１０→洗濯注水路１０２といった経路で供給する。その後、水流スイッチ７５により通水が検出されない状態が３分間継続すると（Ｓ１８：ＹＥＳ）、洗濯機１００における洗い運転での注水動作が終了したと判断し、給湯電磁弁６６を閉弁して（Ｓ１９）すすぎルーチンに移行する（Ｓ２４）。
【００２７】
また、ステップ９において、洗いモードとして水が選択されている場合には水洗いルーチンに移行し（Ｓ２０）、給水電磁弁６５を開弁することで（Ｓ２１）、水供給路６１からの水を主流路６８→外部供給路１１０→洗濯注水路１０２といった経路で供給する。その後、水流スイッチ７５により通水が検出されない状態が３分間継続すると（Ｓ２２：ＹＥＳ）、洗濯機１００における洗い運転での注水動作が終了したと判断し、給水電磁弁６５を閉弁して（Ｓ２３）すすぎルーチンに移行する（Ｓ２４）。
【００２８】
すすぎルーチンでは水流スイッチ７５により通水が検出されると（Ｓ２５：ＹＥＳ）、選択されている注湯モードに応じた洗濯供給水でのすすぎルーチンに移行する。
すすぎモードとして湯が選択されている場合には（Ｓ２６：湯）湯すすぎルーチンに移行し（Ｓ２７）、給湯電磁弁６６を開弁して湯を供給する（Ｓ２８）。その後、スタートスイッチがオフされることにより（Ｓ２９：ＹＥＳ）給湯電磁弁６６を閉弁して（Ｓ３０）制御を終了する（Ｓ３１）。
また、すすぎモードとして水が選択されている場合には（Ｓ２６：水）水すすぎルーチンに移行し（Ｓ３２）、給水電磁弁６５を開弁して水を供給する（Ｓ３３）。その後、スタートスイッチがオフされることにより（Ｓ３４：ＹＥＳ）給水電磁弁６５を閉弁して制御を終了する（Ｓ３０）。
【００２９】
以上説明したように、本実施例の雑用水供給装置６０によれば、給水電磁弁６５をバイパスするバイパス流路７２を設けトイレ９０及び洗濯機１００に小流量の水を常時供給可能とする流路を形成することで、給水電磁弁６５及び給湯電磁弁６６を閉弁した状態であってもその使用状況を常時チェックすることが可能となる。従って、電磁弁を開弁した状態で通水検出する構成に比べ消費電力を低減することができ、しかも使用を即座に検出することができる。また、上水の供給路に残り湯を合流させて供給する構成により、上水や残り湯を外部に供給するための出口流路を１つとすることができ、配管の数が少なくなって装置の施工性が良くなると共に構成を簡単にして低コストにすることができる。また、このような構成では残り湯の供給時にもバイパス流路７２から上水が供給されるが、バイパス流路７２を主流路６８における浴槽水供給路６９の合流部より下流側で合流させ、主流路６８における浴槽水供給路６９の合流部とバイパス流路７２の合流部との間に逆止弁７４を設けることにより、残り湯供給動作時にバイパス流路７２の上水が浴槽水供給路６９に逆流してしまうことを防ぐことができる。更に、浴槽水供給路６９にフィルタ７０を設けることで、残り湯に含まれる異物により洗濯機１００のフィルタが詰まりやすくなるといった不具合を防ぐことができる。しかも、浴槽水供給路６９には逆止弁を設けない構成により浴槽水供給路６９に水を逆流させてフィルタ７０を逆洗することが可能となり、残り湯の供給後にはフィルタ７０を自動的に逆洗して目詰まりを防止するため使い勝手が良く、また逆洗に使用した水を残り湯供給時に利用することができるため節水性が高い。
【００３０】
以上本発明の実施例について説明したが、本発明はこうした実施例に何等限定されるものではなく、本発明の要旨を逸脱しない範囲において、種々なる態様で実施し得ることは勿論である。
【００３１】
【発明の効果】
以上詳述したように、本発明の請求項１記載の雑用水供給装置によれば、雑用水を上水供給路に合流させて供給することで、雑用水の供給流路を上水供給路と別に設ける必要がなく簡単な構成にすることができる。そしてこのように上水に雑用水を合流させて供給する構成であっても、上記上水供給路における上記雑用水供給路との合流部の下流側であって、かつ、当該上水供給路における上記バイパス流路との合流点の上流側に、当該パイパス流路から雑用水供給路への上水の逆流を防ぐ逆止弁が設けられているので、バイパス流路から供給される上水が雑用水供給路に逆流することを簡単に防ぐことができる。
【００３２】
更に、本発明の請求項２記載の雑用水供給装置によれば、雑用水供給路に逆止弁を設けることなくバイパス流路からの上水が雑用水供給路に逆流することを防ぐことができるため、雑用水供給路に設けたフィルタの逆洗を可能とすることができる。
【図面の簡単な説明】
【図１】一実施例としての雑用水供給装置を備えた残り湯利用システムの概略構成図である。
【図２】注湯コントローラの行なう残り湯供給制御処理を表わすフローチャートである。
【図３】注湯コントローラの行なう残り湯供給制御処理を表わすフローチャートである。
【図４】注湯コントローラの行なう残り湯供給制御処理を表わすフローチャートである。
【図５】注湯コントローラの行なう残り湯供給制御処理を表わすフローチャートである。
【図６】注湯コントローラの行なう残り湯供給制御処理を表わすフローチャートである。
【符号の説明】
６０…雑用水供給装置、  ６１…水供給路、  ６２…湯供給路、
６５…給水電磁弁、  ６６…給湯電磁弁、  ７０…フィルタ、  ７４…逆止弁、
７６…注湯コントローラ、  ９０…水洗トイレ、  １００…全自動洗濯機。
【図１】
0003912894.tif 000002
【図２】
0003912894.tif 000003
【図３】
0003912894.tif 000004
【図４】
0003912894.tif 000005
【図５】
0003912894.tif 000006
【図６】
0003912894.tif 000007